(57)【要約】【課題】外部から引き回される電源線を容易に引き回すことのできる照明器具を提供する。【解決手段】蛍光ランプ１ａが取り付けられるソケット１と、一面が開口した箱体で内部にソケット１が収納される器具本体２とから成り、壁３に穿設された略矩形状の開口穴３ａに器具本体２が埋込配設される照明器具であって、器具本体２は、開口穴３ａと対向する平板状の天板部２０と、天板部２０の下辺と連接されて下方へと突出する略直方体状の突出部２１と、天板部２０の上辺と連接されて前方に向かって上に傾斜する平板状の面取り部２２とを備え、天板部２０の上端部略中央及び面取り部２２の下端部略中央には、外部から引き回される電源線６を挿通するための略円形状の電源線挿通孔４がそれぞれ設けられ、各電源線挿通孔４の間を連結する略矩形状の連結孔４０を天板部２０及び面取り部２２にそれぞれ設けている。【選択図】図１
2007317568.tif 000002
【特許請求の範囲】
【請求項１】
光源が取り付けられるソケットと、一面が開口した箱体で内部にソケットが収納される器具本体とから成り、天井又は壁に穿設された開口穴に器具本体が埋込配設される照明器具であって、器具本体は、開口穴と対向する板状の天板部と、天板部の何れか一辺と連接されて該一辺と直交し且つ開口穴と並行な方向に突出する突出部と、天板部の前記一辺と対向する一辺と連接されて開口穴に近づき且つ突出部から離れる方向に向かって傾斜する板状の面取り部とを備え、天板部及び面取り部には、外部から引き回される電源線を挿通するための電源線挿通孔がそれぞれ設けられ、各電源線挿通孔の間を連結する連結孔を天板部及び面取り部にそれぞれ設けたことを特徴とする照明器具。
【請求項２】
前記電源挿通孔の何れか一方の周縁に取り付けられて電源線を位置決めするブッシングを備え、該ブッシングは、連結孔を介して各電源線挿通孔の間を移動自在であることを特徴とする請求項１記載の照明器具。
【請求項３】
前記突出部にソケットが配置されて成ることを特徴とする請求項１又は２記載の照明器具。
【発明の詳細な説明】
【技術分野】
【０００１】
本発明は、天井や壁に埋込配設される照明器具に関する。
【背景技術】
【０００２】
従来から、天井や壁に埋込配設される照明器具が知られており、例えば特許文献１に開示されている。この照明器具は、一面が開口した深底の容器状の器具本体を天井に設けられた開口部に開口を下方に向けて埋込配設するもので、器具本体の開口周縁には、天井に係止するフランジが一体に設けられている。器具本体の上端部には、上すぼまりのテーパ部が形成され、テーパ部の内側には電球が取り付けられるソケットが、外側には電源接続用の端子台が取り付けられている。また、器具本体の内部には笠形の反射板が、その頂部を器具本体に固定することで取り付けられており、該反射板によって電球の光を反射させて器具本体の開口及び天井の開口部を通して外部に取り出している。
【特許文献１】特開平８−１８０７０６号公報
【発明の開示】
【発明が解決しようとする課題】
【０００３】
ところで、上記従来例では、外部から引き回される電源線を端子台に接続することでソケットに電力を供給しているが、端子台が器具本体を埋め込んだ状態において奥側に配置されるため、奥行き方向において器具本体を取り付けるスペースが規制されている場合に、電源線を引き回すことが難しく、したがって施工が困難となる問題があった。
【０００４】
本発明は、上記の点に鑑みて為されたもので、外部から引き回される電源線を容易に引き回すことのできる照明器具を提供することを目的とする。
【課題を解決するための手段】
【０００５】
請求項１の発明は、上記目的を達成するために、光源が取り付けられるソケットと、一面が開口した箱体で内部にソケットが収納される器具本体とから成り、天井又は壁に穿設された開口穴に器具本体が埋込配設される照明器具であって、器具本体は、開口穴と対向する板状の天板部と、天板部の何れか一辺と連接されて該一辺と直交し且つ開口穴と並行な方向に突出する突出部と、天板部の前記一辺と対向する一辺と連接されて開口穴に近づき且つ突出部から離れる方向に向かって傾斜する板状の面取り部とを備え、天板部及び面取り部には、外部から引き回される電源線を挿通するための電源線挿通孔がそれぞれ設けられ、各電源線挿通孔の間を連結する連結孔を天板部及び面取り部にそれぞれ設けたことを特徴とする。
【０００６】
請求項２の発明は、請求項１の発明において、電源挿通孔の何れか一方の周縁に取り付けられて電源線を位置決めするブッシングを備え、該ブッシングは、連結孔を介して各電源線挿通孔の間を移動自在であることを特徴とする。
【０００７】
請求項３の発明は、請求項１又は２の発明において、突出部にソケットが配置されて成ることを特徴とする。
【発明の効果】
【０００８】
請求項１の発明によれば、器具本体の埋込配設の作業中又は配設後の何れの場合でも、連結孔を介して電源線を天板部及び面取り部の何れの電源線挿通孔にも自在に移動することができるので、天井又は壁において器具本体を収納するスペースが狭い場合でも電源線を容易に引き回すことができ、したがって施工性が向上する。また、天井又は壁における奥行き方向のスペースが制限されている場合に、突出部によって開口穴と並行する方向に器具本体の収納空間を広げることができる。
【０００９】
請求項２の発明によれば、器具本体の埋込配設の作業中又は配設後の何れの場合でも、連結孔を介してブッシングを何れの電源線挿通孔にも自在に移動できるので、電源線をブッシングに挿通した状態で移動することができ、したがって電源線を傷つけることなく電源線の位置決めを行うことができる。
【００１０】
請求項３の発明によれば、突出部にソケットを収納することで、ソケット及び光源が天井及び壁の開口穴から直接視認できない割合を増やすことができ、したがって間接光を得やすくなる。
【発明を実施するための最良の形態】
【００１１】
以下、本発明の実施形態について図面を用いて説明する。但し、以下の説明では、図１（ａ）における左右を前後方向、上下を上下方向、紙面の手前を右方向、紙面の奥を左方向と定める。尚、本実施形態の照明器具は天井の開口穴及び壁の開口穴の何れにも埋込配設することができるが、以下では壁の開口穴に埋込配設した場合についてのみ説明する。
本実施形態は、図１（ａ）に示すように、蛍光ランプ１ａが着脱自在に装着されるソケット１と、一面が開口した箱体で内部にソケット１が収納される器具本体２とから成り、壁３に穿設された略矩形状の開口穴３ａに器具本体２が埋込配設される照明器具であって、器具本体２は、開口穴３ａと対向する平板状の天板部２０と、天板部２０の下辺と連接されて下方へと突出する略直方体状の突出部２１と、天板部２０の上辺と連接されて前方に向かって上に傾斜する平板状の面取り部２２とを備え、天板部２０の上端部の略中央及び面取り部２２の下端部の略中央には、外部から引き回される電源線６を挿通するための略円形状の電源線挿通孔４がそれぞれ設けられている。
天板部２０及び面取り部２２の各電源線挿通孔４には、図１（ｂ）、（ｃ）に示すように、それぞれ略矩形状の連結孔４０が一体に設けられている。また、天板部２０における連結孔４０の下端と面取り部２２における連結孔４０の上端は互いに繋がっており（図２参照）、電源線６は天板部２０及び面取り部２２それぞれの電源線挿通孔４及び連結孔４０を移動自在となっている。また、各電源線挿通孔４には、電源線６を位置決めするためのブッシング５が取り付けられている。
ブッシング５は、弾性を有する材料で形成され、略円筒状の筒部５ａと、筒部５ａの上端部全周に亘って外側に突出して形成されるフランジ５ｂとから成る。筒部５ａは、電源線６の径よりも大きい径に形成されており、該筒部５ａに電源線６を挿通することで電源線６の可動範囲が筒部５ａ内に制限されるため、電源線６の位置決めが為される。ブッシング５は、筒部５ａを電源線挿通孔４に押し込み、フランジ５ｂが電源挿通孔４の周縁に当接することで電源線挿通孔４に係止される。また、ブッシング５は、連結孔４０を介して天板部２０及び面取り部２２の各電源線挿通孔４の間を移動自在となっている。器具本体２の内部における天板部の電源線挿通孔４の近傍には、電源線６の一端が接続される接続端子台１ｂが設けられている。該接続端子台１ｂは、ソケット１とリード線を介して電気的に接続されており、電源線６の一端を接続端子台１ｂに接続することでソケット１に電力が供給される。 
器具本体２の開口の上端縁及び下端縁には、図１（ａ）に示すように、それぞれ上方及び下方に突出する鍔部２４が左右方向に亘って形成されている。また、器具本体２の左右両側面の略中央には、それぞれ器具本体２を壁３に係止するための係止金具２３が設けられている。係止金具２３は、図３に示すように、後側から前側にかけてそれぞれ左右方向外側に傾斜するように形成されており、器具本体２の左右両側面に設けられたスリット（図示せず）を通して器具本体２の内側に収納自在となっている。また、係止金具２３は器具本体２の外側へと付勢されており、器具本体２を壁３に埋込配設する際に、各係止金具２３の傾斜部分を開口穴３ａの左右両端縁にそれぞれ押し当てると、係止金具２３は器具本体２内部に押し込まれる。係止金具２３が壁３の後側のスペースまで押し込まれると、付勢力によって係止金具２３が器具本体２の外側へ飛び出し、係止金具２３の前端部が壁３の後面に当接し、鍔部２４とで壁３を挟み込むことで器具本体２を係止する。
【００１２】
器具本体２の下方には、図１（ａ）に示すように、天板部２０の下辺と連接し且つ器具本体２を埋込配設した状態において開口穴３ａの下端縁よりも下方に突出する突出部２１が設けられており、該突出部２１にソケット１及び蛍光ランプ１ａが収納される。また、器具本体２の開口の下端縁には、図１（ａ）に示すように、突出部２１に向けて下方に傾斜した略矩形状の反射板７が左右方向に亘って設けられており、蛍光ランプ１ａからの光を該反射板７で反射させることで開口穴３ａを介して外部へと光を照射して間接光を得ている。
【００１３】
器具本体２の開口の周縁には、図１（ａ）に示すように、開口穴３ａよりも上下方向及び左右方向の幅が狭い略矩形状の開口部８ｂを有する枠部８が取り付けられる。枠部８は、その開口部８ｂの上端縁から後側に向けて下方に傾斜する反射枠８ａが一体に形成されており、枠部８が器具本体２に取り付けられた状態で、蛍光ランプ１ａからの光を上記反射板７と同様に反射枠８ａで反射させることで開口穴３ａを介して外部へと光を照射させている。枠部８は、左右両側面に各々設けられた取付部（図示せず）を器具本体２の左右両側面に各々設けられた枠用取付金具９に嵌合することで、器具本体２に取り付けられる（図１（ａ）参照）。
以下、本実施形態の照明器具を壁３の開口穴３ａに埋込配設する手順を説明する。まず、図４（ａ）に示すように、突出部２１を開口穴３ａを通して壁３後側のスペースに配置し、器具本体２の下側の鍔部２４の先端を壁３の前面に当接させる。次に、該当接部分を軸として器具本体２を時計回りに回動させることで器具本体２全体を壁３後側のスペースに配設する（図４（ｂ）参照）。
ところで、電源線６を器具本体２内部に引き回す際に、図４（ａ）に示すように、面取り部２２の電源線挿通孔４は器具本体２を回動する時に壁３の近傍を通るために、該電源線挿通孔４に電源線６を挿通すると器具本体２を回動することが困難である。そこで、天板部２０の電源線挿通孔４に電源線６を挿通させた状態で器具本体２を回動することで、電源線６が邪魔することなく容易に器具本体２を回動して壁３に埋込配設できる。器具本体２を埋込配設した後は、例えば断熱材などによって天板部２０の後側のスペースが狭くなり、電源線６が屈曲してしまうといった場合に、図４（ｂ）に示すように、電源線６を連結孔４０を介して面取り部２２の電源線挿通孔４に移動させることで、電源線６を屈曲させることなく引き回すことができる。この時、電源線６の移動に伴ってブッシング５も一緒に移動させることができるため、電源線６を傷つけることなく移動して位置決めすることができる。
また、壁３の後側のスペースにおいて下方向へと突出する突出部２１を設けたので、前記スペースにおいて奥行きに制限されることなく器具本体２の収納空間を広げることができる。さらに、突出部２１に蛍光ランプ１ａを収納しているので、器具本体２の開口から蛍光ランプ１ａを直接視認し難くなり、したがって間接光を得やすくなる。
【図面の簡単な説明】
【００１４】
【図１】本発明の実施形態の照明器具を示す図で、（ａ）は右側から見た断面図で、（ｂ）は面取り部の一部拡大図で、（ｃ）は天板部の一部拡大図である。
【図２】同上の後側から見た平面図である。
【図３】同上の下側から見た平面図である。
【図４】同上の埋込配設の方法を示す図で、（ａ）は施工前の状態を示す図で、（ｂ）は施工後の状態を示す図である。
【符号の説明】
【００１５】
１  ソケット
２  器具本体
２０  天板部
２１  突出部
２２  面取り部
３  壁
３ａ  開口穴
４  電源線挿通孔
４０  連結孔
５  ブッシング
【図１】
2007317568.tif 000003
【図２】
2007317568.tif 000004
【図３】
2007317568.tif 000005
【図４】
2007317568.tif 000006